(57)【要約】【課題】好適な消火スプリンクラーおよび偏向器を提供すること。【解決手段】消火スプリンクラーは、偏向器支持アームと整合される２つのスロットを伴う偏向器を有する。２つのスロットは、スプリンクラーの流動軸を通過する共通線に沿って、偏向器の周辺の両側から延在する。２つのスロットは、偏向器が取り付けられる支持アームの端部におけるスプリンクラーの突出部の下にある点まで延在する。他のスロットは、スプリンクラー流動軸を通過しない線に沿って、偏向器の周辺から延在する。他のスロットは、突出部に対して離間された関係にある点まで延在する。第１および第２のスロットを囲繞する偏向器周辺の領域は、周辺の他の領域よりも流動軸により近い。第１および第２のスロットのそれぞれの面積は、偏向器プレート内の他の任意のスロットの面積を上回る。【選択図】図１
2020093165.tif 000002
【特許請求の範囲】
【請求項１】
消火スプリンクラーのための偏向器であって、前記偏向器は、
中心を囲繞する周辺を有する、円形プレートと、
前記周辺上の正反対の点から共通直径に沿って前記中心に向かって延在する、前記プレート内の第１および第２のスロットと、
前記第１のスロットと前記第２のスロットとの間に前記プレートの周辺に位置付けられた第１の複数のスロットであって、前記第１の複数のスロットのうちの前記スロットのそれぞれは、前記周辺から前記円形プレートの個別の弦に沿って延在する、第１の複数のスロットと、
前記プレートの周辺に位置付けられた第２の複数のスロットであって、前記第２の複数のスロットのうちの各スロットは、前記第１のスロットと前記第２のスロットとの間に位置付けられ、前記周辺から前記円形プレートの個別の半径に沿って前記中心に向かって延在する、第２の複数のスロットと
を備え、
前記第１および第２のスロットは、前記中心から第１の距離において個別の端部を有し、
前記第１の複数のスロットの第１の半分は、前記中心から第２の距離において個別の端部を有し、
前記第１の複数のスロットの第２の半分は、前記中心から第３の距離において個別の端部を有し、
前記第２の複数のスロットは、前記中心から第４の距離において個別の端部を有し、
前記第１の距離は、前記第２の距離未満であり、前記第２の距離は、前記第３の距離未満であり、前記第３の距離は、前記第４の距離未満である、偏向器。
【請求項２】
前記第１および第２のスロットは、個別の第１および第２の面積を画定し、前記第１および前記第２の面積はそれぞれ、前記第１および第２の複数のスロットの任意のスロットによって画定される任意の面積を上回る、請求項１に記載の偏向器。
【請求項３】
前記周辺は、第１の領域および第２の領域を備え、前記第１の領域は、前記第１のスロットに隣接し、前記第２の領域は、前記第２のスロットに隣接し、前記第１の領域および前記第２の領域はそれぞれ、前記周辺のうちの残りの半径未満である半径を有する、請求項１に記載の偏向器。
【請求項４】
前記第１の複数のスロットのうちの前記スロットのそれぞれは、それに沿って前記第１の複数のスロットのうちの前記スロットのそれぞれが延在する、前記円形プレートの前記個別の弦に対して非対称である、請求項１に記載の偏向器。
【請求項５】
前記第２の複数のスロットのうちの前記スロットの前記それぞれは、それに沿って前記第２の複数のスロットのうちの前記スロットのそれぞれが延在する、前記円形プレートの前記個別の半径に対して対称である、請求項１に記載の偏向器。
【請求項６】
前記第１および第２のスロットのそれぞれは、前記周辺に近接する第１の領域にわたる第１の幅と、前記第１の領域と前記中心との間に位置付けられた第２の領域にわたる第２の幅とを有し、前記第１の幅は、前記第２の幅未満である、請求項１に記載の偏向器。
【発明の詳細な説明】
【技術分野】
【０００１】
（関連出願への相互参照）
本出願は、２０１６年９月９日に出願された米国仮出願第６２／３８５，２７３号に基づき、およびそれに対して優先権を主張する。上記文献は、参照することによって本明細書において援用される。
【０００２】
（発明の分野）
本発明は、消火スプリンクラーと、消火スプリンクラーと併用される偏向器とに関する。
【背景技術】
【０００３】
（背景）
早期制圧速動型（ＥＳＦＲ）消火スプリンクラーは、倉庫天井と物品との間に大きいクリアランスを有する倉庫内の物品を保護するために使用されるとき、難題に直面する。４０フィートおよびそれを超える天井高を有する倉庫は、床から２０フィートおよびそれ未満の高さで棚置される物品を有し、（スプリンクラーが位置付けられる近傍の）天井と物品との間に２０フィートまたはそれを超えるクリアランスを残し得る。そのようなクリアランスにおいて動作するＥＳＦＲスプリンクラーへの難題は、スプリンクラー自体の下方の火を鎮圧させるために十分な密度と速度とを有する消化液の中心流動を維持する一方で、また、外囲「傘」噴霧パターンを維持し、所望される面積を保護するために要求される放出ならびに外部傘パターンと中心流動との間の中間範囲内に十分な流動を提供し、中間区域内の火が、成長し、外部傘を圧倒しないように防止することを含む。しかしながら、いくつかの従来技術のＥＳＦＲスプリンクラー設計に関して、スプリンクラーと物品との間の大きいクリアランス距離は、噴霧パターンが、過大面積に放出されることを可能にし、それによって、特に、中間区域における噴霧パターン密度、故に、スプリンクラーの消火有効性を低減させる。そのような状態はまた、中心区域内の火炎プルームによって作成される上昇気流が外部傘噴霧パターンを阻止かつ持ち上げることを可能にし、いくつかの場合では、隣接するスプリンクラーの湿潤および冷却を引き起こし、それによって、それらの動作を防止または遅延させ得る。この現象は、火の熱プルームが、そうでなければ最も良好に設置されて消化する、近傍の冷却されたスプリンクラーを「スキップ」させるため、「スキッピング」として公知である。さらに、スキッピングはまた、火からより遠隔にあるスプリンクラーをトリガし、したがって、消火においてより非有効的にさせやすい。結果として、火災と戦うために呼ばれる消防士への火および水の両方の損傷ならびに付加的なリスクが、増加する。
【０００４】
高クリアランス倉庫火災保護の難題を取り扱うために、消火スプリンクラー、特に、ＥＳＦＲタイプのスプリンクラーを改良する機会が、明確に存在する。
【発明の概要】
【課題を解決するための手段】
【０００５】
（要約）
本発明は、消火スプリンクラーに関する。例示的実施形態では、スプリンクラーは、ボアを囲繞する本体を備える。ボアは、ボアと同軸に配列される流動軸を画定する。第１および第２のアームは、本体の両側に搭載され、そこから流動軸に沿った方向に延在する。突出部は、アームの端部上に搭載される。突出部は、流動軸と同軸に位置付けられる。偏向器は、突出部上に搭載される。例示的実施形態では、偏向器は、流動軸に対して横方向に配向されるプレートを備える。プレートは、複数の歯部を画定する複数のスロットを備える。第１および第２のスロットは、流動軸に対して半径方向に配列され、かつ、それぞれ、第１および第２のアームと整合される。第１および第２のスロットは、プレートの周辺から、突出部の下にある個別の点まで延在する。残りのスロットは、周辺から突出部から、離間された関係にある個別の点まで延在する。
【０００６】
例示的実施形態では、歯部は、第１および第２のスロットの両側に位置付けられ、流動軸から第１の距離において端部を有する。残りのスロットの両側に位置付けられる歯部は、第１の距離を上回る第２の距離において端部を有する。
【０００７】
実施例として、第１および第２のスロットは、個別の第１および第２の面積を画定する。第１および第２の面積はそれぞれ、残りのスロットのうちの任意のスロットによって画定される任意の面積を上回る。また、実施例として、残りのスロットは、第１のスロットに隣接する、スロットの第１の対と、第２のスロットに隣接する、スロットの第２の対とをさらに備える。
【０００８】
例示的実施形態では、第１および第２の対を備えるスロットは、流動軸と交差しない個別の線に沿って延在する。
【０００９】
さらに、実施例として、第１および第２の対を備えるスロットはそれぞれ、個別の線に対して非対称である。例示的実施形態では、残りのスロットは、第１のスロットに隣接する、スロットの第３の対と、第２のスロットに隣接する、スロットの第４の対とをさらに備える。スロットの第１の対は、第１のスロットとスロットの第３の対との間にあり、スロットの第２の対は、第２のスロットとスロットの第４の対との間にある。
【００１０】
実施例として、第１、第２、第３、および第４の対を備えるスロットはそれぞれ、流動軸と交差しない個別の線に沿って延在する。別の実施例では、第１、第２、第３、および第４の対を備えるスロットはそれぞれ、個別の線に対して非対称である。
【００１１】
例示的実施形態では、第１の対のスロットは、周辺から突出部に対して離間された関係にある第１の個別の点まで延在し、第２の対のスロットは、周辺から突出部に対して離間された関係にある第２の個別の点まで延在する。第２の点は、第１の点よりも突出部からより遠い。また、実施例として、残りのスロットは、個別の中間スロットをさらに備える。各中間スロットは、複数のスロットのうちの２つのスロットの間にある。
【００１２】
例示的実施形態では、中間スロットは、周辺から突出部に対して離間された関係にある第３の個別の点まで延在する。第３の個別の点は、第２の点よりも突出部からより遠い。
【００１３】
実施例として、第１および第２のスロットはそれぞれ、周辺に近接する第１の幅と、周辺から遠位にある第２の幅とを有する。第２の幅は、第１の幅を上回る。さらに、実施例として、第１および第２のアームは、突出部に近接する第１の厚さと、本体に近接する第２の厚さとを有する。第１および第２のスロットの第１の幅は、アームの第１の厚さを上回る。例示的実施形態では、第１および第２のスロットの第２の幅は、アームの第２の厚さを上回る。
【００１４】
本発明によるスプリンクラーの例示的実施形態は、ボアの上にある本体と除去可能に係合される、シール部材をさらに備える。感熱性トリガは、所定の周囲温度が達成されるとき、シール部材を本体との係合から解放するための、突出部とシール部材との間に延在する。例示的実施形態では、シール部材は、プラグを備え、感熱性トリガは、感熱性流体を含有する、脆弱なガラスバルブを備える。
【００１５】
例示的実施形態では、スプリンクラーは、１４〜３４のｋ係数を有してもよい。特定の事例では、スプリンクラーは、１６．８のｋ係数を有してもよい。さらに、実施例として、偏向器は、ある厚さを有する。１つの例示的実施形態では、偏向器は、偏向器の厚さの２倍に等しい距離において、アームの端部に対して離間された関係に搭載される。別の例示的実施形態では、偏向器は、偏向器の厚さの３倍に等しい距離において、アームの端部に対して離間された関係に搭載される。
【００１６】
本発明はまた、消火スプリンクラーのための偏向器を包含する。例示的実施形態では、偏向器は、中心を囲繞する周辺を有する、円形プレートを備える。第１および第２のスロットは、周辺上の正反対の点から共通直径に沿って中心に向かって延在するプレート内にある。第１の複数のスロットは、第１のスロットと第２のスロットとの間にプレートの周辺に位置付けられる。第１の複数のスロットはそれぞれ、周辺から円形プレートの個別の弦に沿って延在する。第２の複数のスロットは、プレートの周辺に位置付けられる。第２の複数のスロットの各スロットは、第１のスロットと第２のスロットとの間に位置付けられ、周辺から円形プレートの個別の半径に沿って中心に向かって延在する。
【００１７】
さらに、実施例として、第１および第２のスロットは、中心から第１の距離において、個別の端部を有する。第１の複数のスロットの第１の半分は、中心から第２の距離において個別の端部を有する。第１の複数のスロットの第２の半分は、中心から第３の距離において個別の端部を有する。第２の複数のスロットは、中心から第４の距離において個別の端部を有する。例示的実施形態では、第１の距離は、第２の距離未満であり、第２の距離は、第３の距離未満であり、かつ第３の距離は、第４の距離未満である。
【００１８】
さらなる例示的実施形態では、第１および第２のスロットは、個別の第１および第２の面積を画定する。例示的実施形態では、第１および第２の面積はそれぞれ、第１および第２の複数のスロットの任意のスロットによって画定される任意の面積を上回る。実施例として、それぞれ、第１および第２のスロットに隣接する、周辺の第１および第２の領域はそれぞれ、周辺のうちの残りの半径未満である半径を有する。
【００１９】
実施例として、第１の複数のスロットのスロットはそれぞれ、それに沿って第１の複数のスロットのそれぞれが延在する円形プレートの個別の弦に対して非対称である。さらに、実施例として、第２の複数のスロットのスロットはそれぞれ、それに沿って第２の複数のスロットのそれぞれが延在する円形プレートの個別の半径に対して対称である。
【００２０】
例示的実施形態では、第１および第２のスロットはそれぞれ、周辺に近接する第１の領域にわたる第１の幅と、第１の領域と中心との間に位置付けられる第２の領域にわたる第２の幅とを有する。例示的実施形態では、第１の幅は、第２の幅未満である。
本明細書は、例えば、以下の項目も提供する。
（項目１）
消火スプリンクラーであって、前記スプリンクラーは、
ボアを囲繞する本体であって、前記ボアは、前記ボアと同軸に配列された流動軸を画定する、本体と、
前記本体の両側に搭載され、そこから前記流動軸に沿った方向に延在する、第１および第２のアームと、
前記アームの端部上に搭載された突出部であって、前記突出部は、前記流動軸と同軸に位置付けられている、突出部と、
前記突出部上に搭載された偏向器であって、前記偏向器は、前記流動軸に対して横方向に配向され、かつ複数の歯部を画定する複数のスロットを備える、プレートを備え、前記スロットのうちの第１および第２のスロットは、前記流動軸に対して半径方向に配列され、かつ、それぞれ、前記第１および第２のアームと整合されており、前記第１および第２のスロットは、前記プレートの周辺から、前記突出部の下にある個別の点まで延在し、前記スロットのうちの残りは、前記周辺から、前記突出部から離間された関係にある個別の点まで延在する、偏向器と
を備える、スプリンクラー。
（項目２）
前記第１および第２のスロットの両側に位置付けられた前記歯部は、前記流動軸から第１の距離において端部を有し、前記スロットのうちの前記残りの両側に位置付けられた前記歯部は、前記第１の距離を上回る第２の距離において端部を有する、項目１に記載のスプリンクラー。
（項目３）
前記第１および第２のスロットは、個別の第１および第２の面積を画定し、前記第１および前記第２の面積はそれぞれ、前記スロットのうちの前記残りのうちの任意のスロットによって画定される任意の面積を上回る、項目１に記載のスプリンクラー。
（項目４）
前記スロットのうちの前記残りは、前記第１のスロットに隣接する、スロットの第１の対と、前記第２のスロットに隣接する、スロットの第２の対とをさらに備える、項目１に記載のスプリンクラー。
（項目５）
前記スロットは、前記流動軸と交差しない個別の線に沿って延在する、前記第１および第２の対を備える、項目４に記載のスプリンクラー。
（項目６）
前記スロットのそれぞれは、前記個別の線に対して非対称である、前記第１および第２の対を備える、項目５に記載のスプリンクラー。
（項目７）
前記スロットのうちの前記残りは、第１のスロットに隣接する、スロットの第３の対と、前記第２のスロットに隣接する、スロットの第４の対とをさらに備え、前記スロットの第１の対は、前記第１のスロットと前記スロットの第３の対との間にあり、前記スロットの第２の対は、前記第２のスロットと前記スロットの第４の対との間にある、項目４に記載のスプリンクラー。
（項目８）
前記第１、第２、第３、および第４の対を備える前記スロットのそれぞれは、前記流動軸と交差しない個別の線に沿って延在する、項目７に記載のスプリンクラー。
（項目９）
前記第１、第２、第３、および第４の対を備える前記スロットは、前記個別の線に対して非対称である、項目８に記載のスプリンクラー。
（項目１０）
前記第１の対の前記スロットは、前記周辺から、前記突出部に対して離間された関係にある第１の前記個別の点まで延在し、前記第２の対のスロットは、前記周辺から、前記突出部に対して離間された関係にある第２の前記個別の点まで延在し、前記第２の点は、前記第１の点よりも前記突出部からより遠い、項目７に記載のスプリンクラー。
（項目１１）
前記スロットのうちの前記残りは、個別の中間スロットをさらに備え、各前記中間スロットは、前記複数のスロットのうちの２つのスロットの間にある、項目１０に記載のスプリンクラー。
（項目１２）
前記中間スロットは、前記周辺から、前記突出部に対して離間された関係にある第３の前記個別の点まで延在し、前記第３の前記個別の点は、前記第２の点よりも前記突出部からより遠い、項目１１に記載のスプリンクラー。
（項目１３）
前記第１および第２のスロットのそれぞれは、前記周辺に近接する第１の幅と、前記周辺から遠位にある第２の幅とを有し、前記第２の幅は、前記第１の幅を上回る、項目１に記載のスプリンクラー。
（項目１４）
前記第１および第２のアームは、前記突出部に近接する第１の厚さと、前記本体に近接する第２の厚さとを有し、前記第１および第２のスロットの前記第１の幅は、前記アームの前記第１の厚さを上回り、前記第１および第２のスロットの前記第２の幅は、前記アームの前記第２の厚さを上回る、項目１３に記載のスプリンクラー。
（項目１５）
前記ボアの上にある前記本体と除去可能に係合されている、シール部材と、
所定の周囲温度が達成されるとき、前記シール部材を前記本体との係合から解放するための、前記突出部と前記シール部材との間に延在する、感熱性トリガと
をさらに備える、項目１に記載のスプリンクラー。
（項目１６）
前記シール部材は、プラグを備え、前記感熱性トリガは、感熱性流体を含有する、脆弱なガラスバルブを備える、項目１に記載のスプリンクラー。
（項目１７）
１４〜３４のｋ係数を有する、項目１に記載のスプリンクラー。
（項目１８）
１６．８のｋ係数を有する、項目１に記載のスプリンクラー。
（項目１９）
前記偏向器は、ある厚さを有し、前記偏向器は、前記偏向器の厚さの２倍に等しい距離において、前記アームの前記端部に対して離間された関係に搭載されている、項目１に記載のスプリンクラー。
（項目２０）
前記偏向器は、ある厚さを有し、前記偏向器は、前記偏向器の厚さの３倍に等しい距離において、前記アームの前記端部に対して離間された関係に搭載されている、項目１に記載のスプリンクラー。
（項目２１）
消火スプリンクラーのための偏向器であって、前記偏向器は、
中心を囲繞する周辺を有する、円形プレートと、
前記周辺上の正反対の点から共通直径に沿って前記中心に向かって延在する、前記プレート内の第１および第２のスロットと、
前記第１のスロットと前記第２のスロットとの間に前記プレートの周辺に位置付けられた第１の複数のスロットであって、前記第１の複数のスロットのうちの前記スロットのそれぞれは、前記周辺から前記円形プレートの個別の弦に沿って延在する、第１の複数のスロットと、
前記プレートの周辺に位置付けられた第２の複数のスロットであって、前記第２の複数のスロットのうちの各スロットは、前記第１のスロットと前記第２のスロットとの間に位置付けられ、前記周辺から前記円形プレートの個別の半径に沿って前記中心に向かって延在する、第２の複数のスロットと
を備える、偏向器。
（項目２２）
前記第１および第２のスロットは、前記中心から第１の距離において個別の端部を有し、
前記第１の複数のスロットの第１の半分は、前記中心から第２の距離において個別の端部を有し、
前記第１の複数のスロットの第２の半分は、前記中心から第３の距離において個別の端部を有し、
前記第２の複数のスロットは、前記中心から第４の距離において個別の端部を有し、
前記第１の距離は、前記第２の距離未満であり、前記第２の距離は、前記第３の距離未満であり、前記第３の距離は、前記第４の距離未満である、項目２１に記載の偏向器。
（項目２３）
前記第１および第２のスロットは、個別の第１および第２の面積を画定し、前記第１および前記第２の面積はそれぞれ、前記第１および第２の複数のスロットの任意のスロットによって画定される任意の面積を上回る、項目２１に記載の偏向器。
（項目２４）
それぞれ、前記第１および第２のスロットに隣接する、前記周辺の第１および第２の領域はそれぞれ、前記周辺のうちの残りの半径未満である半径を有する、項目２１に記載の偏向器。
（項目２５）
前記第１の複数のスロットのうちの前記スロットのそれぞれは、それに沿って前記第１の複数のスロットのうちの前記スロットのそれぞれが延在する、前記円形プレートの前記個別の弦に対して非対称である、項目２１に記載の偏向器。
（項目２６）
前記第２の複数のスロットのうちの前記スロットの前記それぞれは、それに沿って前記第２の複数のスロットのうちの前記スロットのそれぞれが延在する、前記円形プレートの前記個別の半径に対して対称である、項目２１に記載の偏向器。
（項目２７）
前記第１および第２のスロットのそれぞれは、前記周辺に近接する第１の領域にわたる第１の幅と、前記第１の領域と前記中心との間に位置付けられた第２の領域にわたる第２の幅とを有し、前記第１の幅は、前記第２の幅未満である、項目２１に記載の偏向器。
【図面の簡単な説明】
【００２１】
【図１】図１は、本発明による、例示的消火スプリンクラーの側面図である。
【図２】図２は、図１に示される消火スプリンクラーの横断面図である。
【図３】図３は、図１に示される消火スプリンクラーの端面図である。
【図４】図４は、消火スプリンクラーのための本発明による、例示的偏向器の平面図である。
【発明を実施するための形態】
【００２２】
（詳細な説明）
図１および２は、本発明による、例示的消火スプリンクラー１０を示す。スプリンクラー１０は、例えば、約１４〜約３４の、具体的には１６．８の「ｋ係数」を有する早期制圧速動型（ＥＳＦＲ）スプリンクラーであってもよい。ｋ係数は、公式Ｑ＝ｋ（ｐ）１／２によって、スプリンクラーからの放水率「Ｑ」と、スプリンクラー内の圧力「ｐ」とに関連する。
【００２３】
スプリンクラー１０は、ボア１４を囲繞する本体１２を備える。ボア１４は、ボアと同軸に配列される流動軸１６を画定する。本体１０は、スプリンクラー１０の消火システム（図示せず）の配管網への接続のための雄ねじ管継手１８と、取付の間、スプリンクラーにトルクを印加するためのスパナを受容する複数の平坦表面２０とを備えてもよい。第１および第２のアーム２２、２４は、本体１２の両側から流動軸１６に沿って延在し、アームの端部上に搭載される突出部２６を支持する。突出部２６は、流動軸１６と同軸に位置付けられ、感熱性トリガ２８を支持する。突出部２６は、アーム２２および２４の端部ならびに距離２９を越えて延在し、それによって、偏向器がアーム２２および２４の端部に対して離間された関係にある突出部２６上に搭載されることを可能にする、有利には、円筒形である部分２７を有する。
【００２４】
本実施例では、感熱性トリガ２８は、感熱性流体３２を含有する、脆弱なガラスバルブ３０を備える。バルブ３０は、突出部２６とシール部材３４、本実施例では、本体１２との係合を通してボア１４の上にあり、かつそれをシールするプラグ３６との間に延在する。突出部２６はまた、バルブ３０と整合された突出部２６上のボア４０内に螺合される、止めねじ３８を備える。止めねじ３８は、バルブ３０のスプリンクラー１０内への組立およびバルブ上の圧縮力の調節を可能にする。バルブ３０は、その閉鎖される構成（図示済み）にスプリンクラー１０を維持するために、プラグ３６を支持する。周囲温度が、所定の値に到達する、例えば、火災を示すとき、バルブ３０が、破損する。バルブが、破損するとき、それは、もはや本体１２との係合から解放されるプラグ３６を支持せず、スプリンクラー１０を開放し、水または他の消火液が放出されることを可能にする。所定の温度において融解し、スプリンクラーが開放することを可能にするはんだによってともに保持される成分を有するもの等の他の感熱性トリガもまた、実現可能である。
【００２５】
偏向器４２が、突出部２６上に搭載される。図２および３に示されるように、例示的偏向器４２は、流動軸１６に横方向に配向される略円形のプレート４４を備え、厚さ４３を有する。偏向器４２は、距離２９において、アーム２２および２４の端部に対して離間された関係に位置付けられる。例示的実施形態では、距離２９は、偏向器４２の厚さ４３の２倍を上回る。好ましい実施形態では、距離２９は、偏向器４２の厚さ４３の約３倍である。
【００２６】
プレート４４内の複数のスロット４６は、複数の歯部４８を画定する。スロット４６および歯部４８は、ＮＦＰＡ  １３「スプリンクラーシステムの取付に関する規格」を含む、アメリカ消火協会（ＮＦＰＡ）等の当局によって確立された規定および規格下で取り付けられることが可能にされるように、放水率、網羅面積サイズ、および形状を管理する規格ならびに他の性能規格を満たすように、突出部２６、アーム２２および２４、ならびにボア１４と併せて設計される。適合スプリンクラーが合格しなければならない、要求される試験は、ＦＭ  ＧｌｏｂａｌおよびＵＬ等の国家承認試験研究所によって発布された規格に記載されており、そのような規格は、ＵＬ  １７６７と、ＦＭ  ２００８とを含む。これらの規格は、高クリアランス用途に具体的に焦点が当てられた火災試験を含むＵＬ  １７６７を用いた、水流および分布試験、実散水密度（ＡＤＤ）試験、ならびに実地火災試験を含む、適合スプリンクラーが合格しなければならない種々の試験を述べる。
【００２７】
例示的スプリンクラー１０は、４０フィート高およびそれを超える天井を伴い、保護されるべき保管物品が倉庫の床から２０フィートおよびそれを下回る高さで棚置され、かつ天井と物品との間に２０フィートまたはそれを上回るクリアランスをもたらす倉庫において使用され得るＥＳＦＲスプリンクラーに対するＵＬ１７６７基準を満たすように設計される。この目標を達成するために、偏向器４２は、プレート４４内に第１および第２のスロット５０、５２を備える。スロット５０および５２は、流動軸１６に対して半径方向に配向され、図３から明白であるように、それぞれ、第１および第２のアーム２２、２４と整合される。スロット５０および５２は、プレート４４の周辺５４から突出部２６の下にある個別の点５６および５８まで延在する。下記に詳述されるように、複数のスロット４６のうちの残り４６ａは、周辺５４から突出部２６から離間された関係にある個別の点まで延在する。
【００２８】
例示的偏向器４２では、スロット５０および５２は、周辺５４に近接する第１の幅６０と、周辺から遠位にある第２の幅６２とを有する。第２の幅６２は、第１の幅６０を上回る。図１および３にさらに示されるように、アーム２２および２４は、突出部２６に近接する第１の厚さ６４と、本体１２に近接する第２の厚さ６６とを有する。スプリンクラー１０に関して図３に示されるように、第１および第２のスロット５０、５２の第１の幅６０は、アーム２２および２４の第１の厚さ６４を上回り、スロット５０および５２の第２の幅６２は、アーム２２および２４の第２の厚さ６６を上回る。加えて、第１および第２のスロット５０、５２は、個別の第１および第２の面積６８、７０を画定する。各面積６８および７０は、残りのスロット４６ａのうちの任意のスロットによって画定される任意の面積を上回る。
【００２９】
図３にさらに示されるように、第１および第２のスロット５０、５２の両側に位置付けられる歯部７２および７４はそれぞれ、流動軸１６から測定される第１の距離７６において端部を有する。残りのスロット４６ａの両側に位置付けられる歯部４８はそれぞれ、第１の距離７６を上回る第２の距離７８において端部を有する。偏向器４２の実践的実施例では、第１の距離７６は、約０．７２９インチ〜約０．７７９インチの範囲に及び、約０．７５４インチの第１の距離が、有利であると予期される。上記に記載されるように、第１の距離が、約０．７５４インチであるとき、第２の距離７８は、約０．７５４インチ〜約０．８０４インチの範囲に及び、約０．７７９インチの第２の距離が、有利であると予期される。
【００３０】
残りのスロット４６ａ（すなわち、第１および第２のスロット５０、５２以外のスロット）は、スロットの対として編成される。第１の対のスロット８０は、第１のスロット５０に隣接し（すなわち、両側に位置付けられ）、第２の対のスロット８２は、第２のスロット５２に隣接する。スロット８０および８２は、流動軸１６を通過しない個別の線８４および８６に沿って延在する。スロット８０および８２はさらに、スロット８０および８２の片側のみに存在する湾曲される周囲領域８８によって立証されるように、個別の線８４および８６に対して非対称である。第３の対のスロット９０はまた、第１のスロット５０に隣接し、第４の対のスロット９２はまた、第２のスロット５２に隣接する。図３の例示的実施形態では、第１の対のスロット８０は、第１のスロット５０と第３の対のスロット９０との間に位置付けられ、第２の対のスロット８２は、第２のスロット５２と第４の対のスロット９２との間に位置付けられる。スロット９０および９２は、流動軸１６を通過しない個別の線９４、９６に沿って延在する。スロット９０および９２はさらに、スロット９０および９２の片側のみに存在する湾曲される周囲領域９８によって立証されるように、個別の線９４および９６に対して非対称である。
【００３１】
残りのスロット４６ａは、中間スロット１００をさらに備える。各中間スロット１００は、複数のスロット４６（プレート４４内の全てのスロットを含む複数のスロット）のうちの２つのスロットの間に位置付けられる。中間スロット１００は、流動軸１６を通過する個別の線１０２に沿って延在し、かつそれに対して対称である。第１および第２のスロット５０、５２とは異なり、残りのスロット４６ａを構成するスロット８０、８２、９０、９２、および１００はそれぞれ、プレート４４の周辺５４から突出部２６に対して離間された関係にある個別の点まで延在する。第１および第２の対のスロットを備えるスロット８０、８２は、第１の点１０４まで延在し、第２の対のスロットを備えるスロット９０および９２は、第２の点１０６まで延在し、かつ中間スロット１００は、第３の点１０８まで延在する。第３の点１０８は、第１の点１０４よりも流動軸１６からより遠い、第２の点１０６よりも流動軸１６からより遠い。
【００３２】
図４は、スプリンクラー本体から分離された例示的偏向器１１０を図示する。本実施例では、偏向器１１０は、中心１１６を囲繞する周辺１１４を有する円形プレート１１２を備える。プレート１１２内の第１および第２のスロット１１８、１２０は、周辺上の正反対の点から共通直径１２２に沿って中心１１６に向かって延在する。第１の複数のスロット１２４は、プレート１１２の周囲に位置付けられる。第１の複数のスロットの各スロット１２４は、プレート周辺１１４から円形プレート１１２の個別の弦１２６に沿って延在する。第２の複数のスロット１２８は、プレート１１２の周囲に位置付けられる。第２の複数のスロットの各スロット１２８は、第１のスロット１１８と第２のスロット１２０との間に位置付けられ、周辺１１２から円形プレート１１２の個別の半径１３０に沿って中心１１６に向かって延在する。
【００３３】
図４にさらに示されるように、第１および第２のスロット１１８、１２０は、中心１１６から第１の距離１３６において個別の端部１３２、１３４を有する。第１の複数のスロット１２４の第１の半分１２４ａは、中心１１６から第２の距離１４０において個別の端部１３８を有し、第１の複数のスロット１２４の第２の半分１２４ｂは、中心１１６から第３の距離１４４において個別の端部１４２を有する。第２の複数のスロット１２８は、中心１１６から第４の距離１４８において個別の端部１４６を有する。本例示的実施形態では、第１の距離１３６は、第２の距離１４０未満であり、第２の距離は、第３の距離１４４未満であり、かつ第３の距離は、第４の距離１４８未満である。
【００３４】
第１および第２のスロット１１８、１２０は、第１および第２の面積１５０、１５２を画定する。第１および第２の面積はそれぞれ、第１および第２の複数のスロット１２４、１２８の任意のスロットによって画定される任意の面積を上回る。プレート１１２はさらに、それぞれ、第１および第２のスロット１１８、１２０に隣接する、第１および第２の周辺領域１５４、１５６を備える。各周辺領域１５４、１５６は、周辺１１４のうちの残り１６２の半径１６０未満である半径１５８を有する。
【００３５】
図４にさらに描写されるように、第１の複数のスロットの各スロット１２４は、それに沿ってそれが延在する個別の弦１２６に対して非対称である。非対称性は、スロット１２４の片側にある湾曲される周囲領域１６４によって明白である。第２の複数のスロットのスロット１２８は、それに沿ってそれらが延在する個別の半径に対して対称である。加えて、第１および第２のスロットはそれぞれ、周辺１１４に近接する第１の領域１７０にわたる第１の幅１６８と、第１の領域１７０と中心１１６との間に位置付けられる第２の領域１７４にわたる第２の幅１７２とを有する。本例示的実施形態では、第１の幅１６８は、第２の幅１７２未満である。
【００３６】
本発明による消火スプリンクラーは、ＵＬ  １７６７に記載されるものを含む、ＥＳＦＲスプリンクラーに関する規格を満足するまたは上回り、天井と保護されている物品との間に大きいクリアランスを有する倉庫内での利用に好適であることが予期される。
【図１】
2020093165.tif 000003
【図２】
2020093165.tif 000004
【図３】
2020093165.tif 000005
【図４】
2020093165.tif 000006
【外国語明細書】
2020093165000001.pdf